(57)【要約】【課題】構造が簡単でかつ作業性の良い係止機能、位置決め機能、チップ（電子部品）の回転防止及び上下動防止機能等の機能を備えた電子部品収容トレイを提供する。【解決手段】多段に積み重ねて使用される電子部品収容トレイであって、電子部品を収容する複数の小区画を形成する縦桟と横桟とからなる基板と、前記基板の側面全周にわたり所定の間隔で、基板の上下に突き出るように設けられた縦枠と、前記縦枠の上部及び下部に前記基板の全周にわたり形成された上枠体及び下枠体とを備え、前記上枠体の外寸を前記下枠体の外寸よりやや大きくして、トレイの多段の積み重ねを可能にし、積み重ねられた上下のトレイを相互に着脱可能に係止する係止機構を備えたことを特徴とする電子部品収容トレイ。さらに、位置決め機構、チップの回転及び上下動防止機構を備えた上記の電子部品収容トレイ。【選択図】図１
2009161218.tif 000002
【特許請求の範囲】
【請求項１】
多段に積み重ねて使用される電子部品収容トレイであって、  
電子部品を収容する複数の小区画を形成する縦桟と横桟とからなる基板と、
前記基板の側面全周にわたり所定の間隔で、かつ前記基板の上下に突き出るように設けられた縦枠と、
前記縦枠の上部に前記基板の全周にわたり形成された上枠体と、
前記縦枠の下部に前記基板の全周にわたり形成された下枠体とを備え、
前記上枠体の外寸を前記下枠体の外寸よりやや大きくし、多段に積み重ねたときに、下枠体の下部が、他の電子部品収容トレイの上枠体の上部に所定の深さまで入り込むように形成され、
上下に積み重ねられた前記トレイを相互に着脱可能に係止する係止機構を備えたことを特徴とする電子部品収容トレイ。
【請求項２】
前記トレイを積み重ねた際に、所定方位の一隅が上下に積み重ねられた前記トレイ間で一致するようにするための位置決め機構を備えたことを特徴とする請求項１に記載の電子部品収容トレイ。
【請求項３】
前記小区画に収容された前記電子部品の回転を防止する回転防止機構を備えたことを特徴とする請求項１又は２に記載の電子部品収容トレイ。
【請求項４】
前記小区画のそれぞれに収容された前記電子部品の上下動を防止する上下動防止機構を備えたことを特徴とする請求項１から３のいずれかに記載の電子部品収容トレイ。
【請求項５】
前記係止機構が、前記上枠体の対向する２辺の中央付近から下方に延びる一対の薄板の係止部材からなり、
前記係止部材の下部所定の位置で外側に突き出した外側係止爪と、その上部所定の位置で上方が内側に突き出した段差とが設けられ、
積み重ねられた上側トレイの前記係止部材を、下側トレイの前記係止部材の内側に挿通した際に、上側トレイの前記外側係止爪が下側トレイの前記段差と係合し、積み重ねられた上下のトレイの離間を防止するように構成されていることを特徴とする請求項１から４のいずれかに記載の電子部品収容トレイ。
【請求項６】
前記位置決め機構が、前記下側トレイの一隅において下方に突出する位置決めピンと、該位置決めピンに対応する位置において前記上側トレイの前記下枠に設けられた貫通孔とからなり、
前記トレイを積み重ねる際に、前記位置決めピンを前記貫通孔に挿通することによって位置決めされるように構成されていることを特徴とする請求項１から５のいずれかに記載の電子部品収容トレイ。
【請求項７】
前記回転防止機構が、前記縦桟の一辺と前記横桟の一辺との間に斜めに懸けわたされた斜桟上に垂直上方に突出する２本のロックピンと、
前記小区画内に収容された前記電子部品の本体背面取付け部に、前記ロックピンに対応する位置に設けられた２個のロック孔とからなり、
前記電子部品のそれぞれを前記小区画内に収容する際に、前記ロックピンを前記ロック孔に挿通することにより、前記電子部品の水平方向の回転を防止することを特徴とする請求項１から６のいずれかに記載の電子部品収容トレイ。
【請求項８】
前記回転防止機構が、前記縦桟の一辺と前記横桟の一辺との間に斜めに懸けわたされた斜桟上に垂直上方に突出する１本のロックピン及び２本の位置決めピンと、
前記電子部品の本体背面に水平に設けられ、その所定の位置に１個のロック孔を有する所定外形の取付け部とからなり、
前記電子部品のそれぞれを前記小区画内に収容する際に、前記ロックピンを前記取付け部のロック孔に挿通し、２本の前記位置決めピンの外周に前記取付け部の外縁を当接させることにより、前記電子部品の水平方向の回転を防止することを特徴とする請求項１から７のいずれかに記載の電子部品収容トレイ。
【請求項９】
前記上下動防止機構が、前記斜桟の所定の位置でその上方に突出し上面が平らな所定高さの上向き押さえピンと、これに対応する位置で前記斜桟の下方に突出し下面が平らな所定高さの下向き押さえピンとからなり、
前記トレイを上下に積み重ねる際に、下側トレイの前記上向き押さえピンと、上側トレイの前記下向き押さえピンとの間に、前記電子部品の水平面を挟んで固定することにより、前記電子部品の上下動を防止することを特徴とする請求項１から８のいずれかに記載の電子部品収容トレイ。
【発明の詳細な説明】
【技術分野】
【０００１】
本発明は、電子デバイス用の電子部品を多数収容して、その搬送や洗浄を行う際に用いるトレイに関し、とくに搬送・洗浄中の部品チップの上下動や横ずれ、あるいは回転、脱落などを防止することにより、電子部品の搬送・洗浄等のハンドリング（取り扱い）を容易にすることのできる電子部品収容トレイに関する。
【背景技術】
【０００２】
半導体デバイスの製造プロセスにおいては、大量の電子部品をまとめて搬送・洗浄するために、電子部品を収容するトレイが用いられている。トレイに収容する電子部品には各種のものがある。
【０００３】
例えば、下記特許文献１には、底板(主壁部)と低い側壁からなる矩形のトレイ本体を多段に積み重ねる構造の電子部品収納用トレイが開示されている。トレイの底板は格子状の区画に分割され、各区画に正方形の凹部が形成され、この凹部のそれぞれに電子部品が載置される。
【０００４】
また、トレイに収容された電子部品を取出す場合、積み重ねられたトレイの上下を反転させる必要があり、積み重ねられたトレイの上下を反転させると、電子部品がトレイの中で上下動する。下記特許文献２には、その上下動を抑制するため、トレイの相互間に紙を挟む、あるいはトレイの上面にリブを設け、これと噛み合う下面リブを設ける技術が開示されている。
【０００５】
このように、電子部品の収容トレイとしては、一辺が１０ｃｍ程度の四角形で、高さが１０〜１５ｍｍ程度の平箱状のものが従来から多く用いられている。このようなトレイは、通常は側面４周及び底面がプラスチック製の枠体からなり、上面は開放されて、多数の同形のトレイを多段に積み重ねてハンドリングするようになっている。また、トレイの内部又は底部が縦横の桟で格子状の小区画に分割され、各小区画毎に１個の電子部品を収容するように構成されている。
【特許文献１】特開２００４−３５９２６０号公報
【特許文献２】特開２００７−１０９７６３号公報
【発明の開示】
【発明が解決しようとする課題】
【０００６】
かかる電子部品の収容トレイに共通する課題とは、下記のような機能を必要とすることである。
(１)積み重ねたトレイがハンドリング中に分離しないように、上下のトレイを係合する機能を有し、かかる係合状態は、必要なときに簡便に解除できる必要がある。すなわち、係脱（着脱）可能な係止機能を備える必要がある。
(２)トレイを積み重ねた時に、収容した電子部品が、常に一定の方向を向くように、すなわち、作業者が間違いなくワンウェイに位置決めできる位置決め機能を備える必要がある。
(３)トレイに収容した部品チップ（電子部品）が水平面で回転したり、上下に動いて脱落したりすることのないようにするチップ（電子部品）の回転防止及び上下動防止機能を備える必要がある。
(４)洗浄が終了した後に、塵埃が付着しないよう複数段積み重ねたトレイを真空パックするが、その際に真空パック用袋を破損しないように真空パック可能な真空パック用袋破損防止機能を備える必要がある。
【０００７】
電子部品の点数はきわめて多く、必要とされる収容トレイの種類もきわめて多い。従って、上記のような機能を充足するのに、複雑な構造にしたのではトレイの製造コストが高価になって好ましくない。また、トレイの積み重ねや取外し、トレイへのチップの収脱等の作業が簡便であることも重要である。
【０００８】
そこで本発明は、簡単かつ作業性の良い、係止機能、位置決め機能、チップ（電子部品）の回転防止及び上下動防止機能等の機能を備えた電子部品収容トレイを提供することを課題としている。
【課題を解決するための手段】
【０００９】
上記課題を解決するための本発明の電子部品収容トレイは、多段に積み重ねて使用される電子部品収容トレイであって、電子部品を収容する複数の小区画を形成する縦桟と横桟とからなる基板と、前記基板の側面全周にわたり所定の間隔で、かつ前記基板の上下に突き出るように設けられた縦枠と、前記縦枠の上部に前記基板の全周にわたり形成された上枠体と、前記縦枠の下部に前記基板の全周にわたり形成された下枠体とを備え、前記上枠体の外寸を前記下枠体の外寸よりやや大きくし、多段に積み重ねたときに、下枠体の下部が、他の電子部品収容トレイの上枠体の上部に所定の深さまで入り込むように形成され、上下に積み重ねられた前記トレイを相互に着脱可能に係止する係止機構を備えたことを特徴とするものである。
【００１０】
この電子部品収容トレイは、前記トレイを積み重ねた際に、所定方位の一隅が上下に積み重ねられた前記トレイ間で一致するようにするための位置決め機構を備えたものであることが好ましい。
【００１１】
また、この電子部品収容トレイは、前記小区画に収容された前記電子部品の回転を防止する回転防止機構を備えたものであることが好ましい。
【００１２】
さらに、この電子部品収容トレイは、前記小区画のそれぞれに収容された前記電子部品の上下動を防止する上下動防止機構を備えたものであることが好ましい。
【００１３】
この電子部品収容トレイにおいては、前記係止機構が、前記上枠体の対向する２辺の中央付近から下方に延びる一対の薄板の係止部材からなり、前記係止部材の下部所定の位置で外側に突き出した外側係止爪と、その上部所定の位置で上方が内側に突き出した段差とが設けられ、積み重ねられた上側トレイの前記係止部材を、下側トレイの前記係止部材の内側に挿通した際に、上側トレイの前記外側係止爪が下側トレイの前記段差と係合し、積み重ねられた上下のトレイの離間を防止するように構成されていることが好ましい。
【００１４】
また、この電子部品収容トレイにおいては、前記位置決め機構が、前記下側トレイの一隅において下方に突出する位置決めピンと、該位置決めピンに対応する位置において前記上側トレイの前記下枠に設けられた貫通孔とからなり、前記トレイを積み重ねる際に、前記位置決めピンを前記貫通孔に挿通することによって位置決めされるように構成されていることが好ましい。
【００１５】
また、この電子部品収容トレイにおいては、前記回転防止機構が、前記縦桟の一辺と前記横桟の一辺との間に斜めに懸けわたされた斜桟上に垂直上方に突出する２本のロックピンと、前記小区画内に収容された前記電子部品の本体背面取付け部に、前記ロックピンに対応する位置に設けられた２個のロック孔とからなり、前記電子部品のそれぞれを前記小区画内に収容する際に、前記ロックピンを前記ロック孔に挿通することにより、前記電子部品の水平方向の回転を防止するように構成されていることが好ましい。
【００１６】
また、この前記回転防止機構は、前記縦桟の一辺と前記横桟の一辺との間に斜めに懸けわたされた斜桟上に垂直上方に突出する１本のロックピン及び２本の位置決めピンと、前記電子部品の本体背面に水平に設けられ、その所定の位置に１個のロック孔を有する所定外形の取付け部とからなり、前記電子部品のそれぞれを前記小区画内に収容する際に、前記ロックピンを前記取付け部のロック孔に挿通し、２本の前記位置決めピンの外周に前記取付け部の外縁を当接させることにより、前記電子部品の水平方向の回転を防止するように構成されているものであってもよい。
【００１７】
さらに、本発明の電子部品収容トレイにおいては、前記上下動防止機構が、前記斜桟の所定の位置でその上方に突出し上面が平らな所定高さの上向き押さえピンと、これに対応する位置で前記斜桟の下方に突出し下面が平らな所定高さの下向き押さえピンとからなり、前記トレイを上下に積み重ねる際に、下側トレイの前記上向き押さえピンと、上側トレイの前記下向き押さえピンとの間に、前記電子部品の水平面を挟んで固定することにより、前記電子部品の上下動を防止することを特徴とするものであることが好ましい。
【発明の効果】
【００１８】
本発明により、簡単かつ作業性の良い機構で、係止機能、位置決め機能、チップの回転防止及び上下動防止機能等の機能を備えた電子部品収容トレイを提供することが可能になった。これにより、上記の諸機能を備えたトレイを安価に製造することが可能になった。
【発明を実施するための最良の形態】
【００１９】
以下、本発明の実施の形態について、実施例の図面に基づいて詳しく説明する。 図１は、本発明の一実施例である電子部品収容トレイ１の外観を示す図で、図１(ａ)は斜視図、図１(ｂ)は平面図である。
【００２０】
このトレイ１は、平たい箱状のプラスチック製の枠体からなるが、プラスチック製に限られるものではない。トレイ１は、上枠２、下枠３、縦枠４、及び底面に配設されている縦桟５及び横桟６等から構成されている。基板は、縦桟５と横桟６とからなる平板である。縦桟５及び横桟６は、底面近くの平面上に所定間隔で縦横に格子状に配置され、縦横の桟で囲まれた各格子のそれぞれが電子部品を収容する小区画を形成している。すなわち、１個の格子それぞれに１個の電子部品が収容される。
【００２１】
本実施例では、トレイ１の大きさは９０×１００ｍｍ程度の長方形で、高さが１５ｍｍ程度であるが、この例に限られるものではない。上枠２は、幅７ｍｍで厚み０．５ｍｍ程度の帯板からなり、トレイ１の上部側面全周を囲むように配設されている。トレイの上面は開放されており、上部から同一形状の他のトレイを入れて、多段に積み重ねられるようになっている。
【００２２】
下枠３は、断面が２×１ｍｍ程度の細い角棒からなり、底面の全周を囲むように配設されている。縦枠４は、下側にやや細くなった角棒状で、所定の間隔で上枠２と下枠３との間を垂直に結ぶように多数配設されている。
【００２３】
本実施例では、縦枠４の間隔は小区画の分割線、すなわち縦桟５及び横桟６の位置に対応している。縦桟５及び横桟６は、所定の間隔でトレイ１の各辺と平行に配置されている。なお、本実施例では、トレイ１の長辺に平行な桟を縦桟という。
【００２４】
縦桟５、横桟６ともに、縦枠４の下端付近（下枠３のやや上部）に取り付けられている。また、各小区画には、縦桟５の一辺と横桟６の一辺との間に斜めに懸けわたされた斜桟１９と、その上方に突き出す複数のピンが設けられているが、その詳細は後述する。
【００２５】
図２は、本実施例のトレイ１を積み重ねた状態を説明した図で、図２(ａ)は積み重ね前の状態、図２(ｂ)は積み重ね後の状態を示した側面図である。図２（ａ）、（ｂ）に見られるように、トレイ１は上枠２、下枠３、縦枠４と縦横の桟等からなる。この図はトレイ１の短辺側を側面から見たもので、一番手前側の横桟６の側面のみが表われている。また、上枠２の長手方向中央には、係止部材７（これについては、後に説明する）が下方に突出し、下枠３のこの部分が切り欠かれている。
【００２６】
本実施例のトレイ１では、上枠２及び縦枠４が下方側ほどやや小さくなるように形成されている。すなわち、長辺、短辺側ともに下枠３の外寸Ｘが、上枠２の内寸Ｙよりもやや小さくなっており、図２(ｂ)に示すように、上側のトレイ１ａを、下側のトレイ１ｂの上から押し込んだ時に、トレイ１ａの下側１／３程度がトレイ１ｂの上部に入り込んで積み重ねられるようになっている。
【００２７】
本発明の電子部品収容トレイは、上記の構成に加えて、下記の係止機構、位置決め機構及びチップ（電子部品）の回転防止機構並びに上下動防止機構を備えていることが特徴である。
(１)係止機構：多段に積み重ねられた上下トレイ相互を固定して搬送・洗浄中の離脱を防止し、必要な時に簡便に外せるようにしたトレイの着脱可能な係止機構。
(２)位置決め機構：トレイを積み重ねる時に、その四隅の内の特定の一隅が上下トレイで一致するようにワンウェイに重ねるための位置決め機構。
(３)チップの回転防止機構：トレイの各小区画に収容されたチップが、搬送・洗浄中に水平面内で回転しないように固定する機構。
(４)チップの上下動防止機構：トレイの各小区画に収容されたチップが、搬送・洗浄中に上下に動いて脱落することのないように上下動を防止する機構。
(５)洗浄終了後の複数段積み重ねたトレイの真空パック時に真空パック用袋が破損しない真空パック用袋破損防止機構。
これらの各機構を簡単な構造で実現可能にしたことが本発明の特徴である。                
【００２８】
まず、係止機構について説明する。図３は、本実施例における係止機構の説明図である。この係止機構は、トレイ１の上枠の対向する２辺（本実施例では短片）のそれぞれ中央付近に設けられた一対の係止部材７によって構成されている。図３(ａ)はこの係止部材７の部分（図１(ａ)のＡ部）を外側から見た斜視図、図３(ｂ)はこの係止部材７の部分を内側から見た斜視図、図３(ｃ)は上下トレイの係止部材７が係合している状態を示す縦断面図である。
【００２９】
図３(ａ)に見られるように、係止部材７は上枠２から下方に延びる帯板状の部材で、上枠と一体に形成されている。係止部材７の外側下端には、横方向全幅に広がる係止爪８が形成されている。係止爪８は上面がほぼ水平である。
【００３０】
一方、図３(ｂ)に見られるように、係止部材７の上端付近（上枠と接合している部分）の内側には、横方向全幅に広がる段差９が形成されている。段差９は、上方が内側に突き出た段差である。段差９は下面がほぼ水平である。また、係止部材７が上枠２と接合している部分の外側には、係止部材の嵌め込みを容易にするための浅い縦溝１０が形成されている。
【００３１】
上下のトレイを重ね合わせた時には、図３(ｃ)に見られるように、上側トレイの係止部材７ａの下部が弾性変形して、その下端の係止爪８ａが下側トレイの係止部材７ｂの内側（図３(ｃ)の矢印Ａ側）に入り込み、係止爪８ａの下端が下側トレイの段差９ｂに係合して、上下トレイ間の分離が防止される。
【００３２】
上下のトレイを外す時は、人の指の力で係止部材７ａを矢印Ａ方向に押せば、この係止部材７ａが容易に変形して、係止爪８ａと段差９ｂの係合を外すことができる。このように、簡単な機構で上下トレイを着脱可能に係合できるようにしたことが、本発明の特徴の一つである。
【００３３】
次に位置決め機構について説明する。まず、位置決めが必要な理由について述べる。同形の長方形トレイは、一方を１８０°回転した位置でも重なることから、２通りの重ね方がある。
この実施例のトレイでは、斜桟１９が小区画の中心線から外れた位置にあるので、上下トレイ間で斜桟１９の位置が同じになる重ね方（以下、同方向重ねという。）と、点対称の位置になる重ね方（以下、点対称重ねという。）がある。
【００３４】
小区画に収容されたチップの向きは、斜桟１９の位置に依存するので、点対称重ねではトレイ毎にチップの向きが変わることになる。チップの収容や取出しは、通常、自動組み立て装置で行われることが多いので、点対称重ねになることを避ける必要がある。すなわち、トレイの位置決めが必要な理由は、トレイの四隅の内の特定の一隅が上下トレイで常に一致するように積み重ねる必要があるためである。
【００３５】
図４は、本実施例における位置決め機構の構成を説明するための図で、トレイ１の一隅（図１(ａ)のＢ部）を拡大して示す斜視図である。図４に見られるように、この一隅（コーナー）の上枠２の内側には、支持部材１１を介して直立した位置決めピン１２が取り付けられている。
【００３６】
位置決めピン１２は、ほぼ円筒状でその径は下方でやや大きくなっており、その長さはトレイ１の高さの２／３程度である。また、下枠３の一隅（コーナー部）にはやや面積が大きくなった張出し部１３が設けられ、その中央付近に貫通孔１４が設けられている。
【００３７】
トレイ１の他の三隅では、位置決めピン１２は設けられていない。下枠３の張出し部１３はあるが、貫通孔１４は設けられていない。従って、同方向重ねの場合は、下側トレイの位置決めピン１２が上側トレイの貫通孔１４に挿通するので、重ね合わせた時に上側トレイを下側トレイの内部まで押し込むことができる。
【００３８】
しかし、点対称重ねでは、上側トレイに貫通孔１４が設けられていないため、下側トレイの位置決めピン１２の頭が上側トレイの張出し部１３の下面に突き当たり、上側トレイを下側トレイの内部まで押し込むことができない。その場合は、作業者が、一方のトレイを１８０°回転させて積み重ねればよい。この位置決め機構も構造が簡単で安価に製作できる。
【００３９】
次に電子部品の回転防止機構について説明する。図５は、本実施例における回転防止機構の説明図で、図５(ａ)は本実施例のトレイ１に収容される電子部品の形状の例を示す斜視図、図５(ｂ)は本実施例のトレイ１の小区画を拡大して示す斜視図、図５(ｃ)は電子部品を小区画に収容した状態を示す平面図である。
【００４０】
図５(ａ)に示す電子部品は、ハードディスクに用いるもので、電子部品１５は、本体部１６とその背面の取付け部１７とからなる。本体部１６は、１３×７ｍｍ程度の大きさの板状になっている。本体部１６の背面は、その長手方向の中央ほぼ全長に背びれ状に直立した取付け部１７が形成され、この取付け部１７の端部付近にロック孔１８が１個設けられている。
【００４１】
図５(ｂ)に示すように、トレイ１の各小区画は、縦桟５と横桟６により、長方形に区切られており、横桟６の中央付近から、縦桟５の端部付近に斜桟１９が懸けわたされている。斜桟１９の上には、３個の背の高いピンと、１個の低いピンが直立に立設されている。
【００４２】
これらのピンのうち、両端の背の高いピンは位置決めピン２０ａ，２０ｂであり、内側の２本のピンのうち背の高いピンはロックピン２１であり、内側の背の低いピンは、後述する上下動防止機構に用いる押さえピンである。ロックピン２１の先端は、ロック孔１８に挿通しやすいように先細りになっている。また、斜桟１９の中央付近から反対側の縦桟５の中央付近に補強桟２２が懸け渡されている。
【００４３】
電子部品１５をトレイ１の小区画に収容するには、電子部品１５の本体部を直立に（取付け部を水平に）し、取付け部１７のロック孔１８にロックピン２１を挿通する。その状態で、図５(ｃ)に示すように、位置決めピン２０ａの外縁に本体部１６の背面が当接し、位置決めピン２０ｂの外縁に取付け部１７の背が当接する。従って、電子部品１５が矢印Ｂの方向に回転しようとすれば、位置決めピン２０ａに突き当たり、矢印Ｃの方向に回転しようとすれば、位置決めピン２０ｂに突き当たるため、電子部品１５の水平面内での回転を防止することができる。
【００４４】
図６は、本発明の他の実施例における回転防止機構の説明図で、図６(ａ)はこの実施例における電子部品１５の形状を示す斜視図、図６(ｂ)はこの実施例のトレイ１の小区画を拡大して示す斜視図ある。図６(ａ)に示す電子部品１５も、電子部品１５が本体部１６とその背面に設けられた背びれ状の取付け部１７とからなることは、図５(ａ)に示す電子部品１５と同様である。しかし、この電子部品１５では、取付け部１７に２個のロック孔１８ａ，１８ｂが設けられている点が、図５(ａ)の電子部品と相違する。
【００４５】
また、この実施例におけるトレイ１の各小区画の、縦桟５、横桟６、斜桟１９、補強桟２２等の構成は図５(ｂ)の場合と同様であるが、ピンの構成が図５(ｂ)と相違する。すなわち、２個のロックピン２１ａ，２１ｂと背の低い押さえピンと立設され、位置決めピンは設けられていない。電子部品１５をトレイ１の小区画に収容するには、電子部品１５の取付け部１７を水平にし、取付け部１７のロック孔１８ａ，１８ｂに、それぞれロックピン２１ａ，２１ｂを挿通する。ロックピン２１ａ，２１ｂはロック孔１８ａ，１８ｂに緩みなく嵌合するので、２本のロックピンで固定することにより、電子部品１５の水平面内での回転を防止することができる。
【００４６】
図７は、本実施例における上下動防止機構の説明図で、図７(ａ)は本実施例のトレイ１の小区画を上側から見た斜視図、図７(ｂ)はこの小区画を下側から見た斜視図、図７(ｃ)は上下トレイにより電子部品１５が固定された状態を示す側面図である。  図７(ａ)において、斜桟１９上に２本の位置決めピン２０ａ，２０ｂとロックピン２１とともに背の低い上向き押さえピン２３が立設されている。一方、図７(ｂ)に見られるように、斜桟１９の下側には、上向き押さえピン２３に対応する位置に背の低い下向き押さえピン２４が設けられている。上下トレイを重ね合わせた時に、図７(ｂ)に見られるように、電子部品１５の取付け部１７は、上側トレイの下向き押さえピン２４と、下側トレイの上向き押さえピン２３の間に隙間なく挟まれる。従って、電子部品本体部１６の上下動を防止することができる。この上下動防止機構も構造が簡単で安価に製作できる。
【図面の簡単な説明】
【００４７】
【図１】本発明の一実施例である電子部品収容トレイの外観を示す図である。
【図２】本実施例のトレイを積み重ねた状態を説明する図である。
【図３】本実施例における係止機構の説明図である。
【図４】本実施例における位置決め機構の説明図である。
【図５】本実施例における回転防止機構の説明図である。
【図６】本発明の他の実施例における回転防止機構の説明図である。
【図７】本実施例における上下動防止機構の説明図である。
【符号の説明】
【００４８】
１  トレイ
２  上枠
３  下枠
４  縦枠
５  縦桟
６  横桟
７，７ａ，７ｂ  係止部材
８，８ａ  係止爪
９，９ｂ  段差
１０  縦溝
１１  支持部材
１２  位置決めピン
１３  張出し部
１４  貫通孔
１５  電子部品
１６  本体部
１７  取付け部
１８，１８ａ，１８ｂ  ロック孔
１９  斜桟
２０ａ，２０ｂ  位置決めピン
２１，２１ａ，２１ｂ  ロックピン
２２  補強桟
２３  上向き押さえピン
２４  下向き押さえピン
【図１】
2009161218.tif 000003
【図２】
2009161218.tif 000004
【図３】
2009161218.tif 000005
【図４】
2009161218.tif 000006
【図５】
2009161218.tif 000007
【図６】
2009161218.tif 000008
【図７】
2009161218.tif 000009